(57)【要約】【課題】製造コストの増大を招くことなく入力操作を容易に行うことができる入力装置及び自覚式検眼装置を提供する。【解決手段】入力対象を示す画像が表示される表示画面３０上に該表示画面を覆うように配置されたタッチパネル３８の前記画像に対応する位置に互いに異なる複数の操作手段をそれぞれ接触又は近接させる入力操作を行ったときに、該入力操作がいずれの前記操作手段により行われたかを判別し、判別した前記操作手段毎に異なる入力を前記入力対象に対して行う。【選択図】図２
2007236639.tif 000002
【特許請求の範囲】
【請求項１】
入力対象を示す画像が表示される表示画面上に該表示画面を覆うように配置された操作パネルの前記画像に対応する位置に互いに異なる複数の操作手段をそれぞれ接触又は近接させる入力操作を行ったときに、該入力操作がいずれの前記操作手段により行われたかを判別し、判別した前記操作手段毎に異なる入力を前記入力対象に対して行うことを特徴とする入力装置。
【請求項２】
被検眼に視標を呈示するための視標呈示装置と、該視標呈示装置の作動を制御するコントローラとを備え、前記視標呈示装置により呈示された前記視標を見ることにより前記被検眼の視機能を被検者の自覚的な判断に基づいて検査するための自覚式検眼装置であって、前記コントローラは、入力対象を示す画像が表示される表示画面を備え、該表示画面上に該表示画面を覆うように配置された操作パネルの前記画像に対応する位置に互いに異なる複数の操作手段をそれぞれ接触又は近接させる入力操作が行われたときに、該入力操作がいずれの前記操作手段により行われたかを判別し、判別した前記操作手段毎に異なる入力を前記入力対象に対して行うことを特徴とする自覚式検眼装置。
【請求項３】
前記表示画面には前記視標提示装置により呈示される前記視標が表示されており、前記入力対象は、前記表示画面に表示された前記視標を部分的に隠すべく該視標に施されるマスクがけであり、前記コントローラは、前記各操作手段により前記入力操作が行われたとき、前記操作手段毎に互いに異なる態様で前記視標に前記マスクがけを施すことを特徴とする請求項２に記載の自覚式検眼装置。
【請求項４】
前記入力対象は前記視標提示装置により呈示されるときに前記表示画面に表示される前記視標の切り替えであり、前記コントローラは、複数の前記操作手段のうち一の該操作手段により前記入力操作が行われたとき、前記表示画面に表示される前記視標を該視標とは異なる種類の前記視標に順次切り替え、前記一の操作手段とは異なる一の前記操作手段により前記入力操作が行われたとき、切り替えられた前記視標を一つ前の前記視標に戻すことを特徴とする請求項２に記載の自覚式検眼装置。
【請求項５】
前記入力対象は数値又は該数値の変更であり、前記コントローラは、複数の前記操作手段のうち一の該操作手段により前記入力操作が行われたときに前記数値を増加させ、前記一の操作手段とは異なる一の前記操作手段により前記入力操作が行われたときに前記数値を減少させることを特徴とする請求項２に記載の自覚式検眼装置。
【請求項６】
前記入力対象は、乱視検査に用いられるクロスシリンダーの回転であり、前記コントローラは、複数の前記操作手段のうち一の該操作手段により前記入力操作が行われたとき、前記クロスシリンダーを一方向に回転させ、前記一の操作手段とは異なる一の前記操作手段により前記入力操作が行われたとき、前記クロスシリンダーを他方向に回転させることを特徴とする請求項２に記載の自覚式検眼装置。
【発明の詳細な説明】
【技術分野】
【０００１】
本発明は、例えば被検眼の視機能を被検者の自覚的な判断に基づいて検査するための自覚式検眼装置に用いるのに好適な入力装置に関する。
【背景技術】
【０００２】
従来、例えば被検者の各眼の視機能を被検者の応答に基づいて検査するための自覚式検眼装置の作動を制御する入力手段であるコントローラとして、被検者に呈示する視標及び被検者の眼のデータ等の入力対象を示す画像が表示される表示画面と、該表示画面上に該表示画面を覆うように設けられたタッチパネル装置とを備えるコントローラが知られている（例えば、特許文献１参照。）。
【０００３】
タッチパネル装置は、表示画面に表示された入力対象の画像に対応する位置に例えば検者の指のような操作手段が接触したときに、操作手段が接触した入力対象への入力を行う。これにより、表示画面に表示された各入力対象への入力を容易に行うことができる。
【特許文献１】特開平１０−２８３１５２号
【発明の開示】
【発明が解決しようとする課題】
【０００４】
しかしながら、コントローラの機能の増加に伴って入力対象の数が増加した場合、表示画面に表示される画像の個数を増加する必要がある。表示画面に表示される画像の個数が増えると、表示画面に表示する各画像の大きさをそれぞれ小さくする必要があるため、検者が操作手段を所期した画像に接触させ難くなり、誤操作を招く虞がある。
【０００５】
また、特に熟練度の低い検者がコントローラを操作する場合、表示画面に表示される画像の個数が多いと、各種の機能と該各機能に対応する画像とを一致させるのに時間が掛かり、コントローラ操作が煩雑になる。
【０００６】
コントローラの操作を容易にするために、表示画面に表示される画像の個数の増加に伴って表示画面の大きさを大きくすることが考えられるが、表示画面を製造するコストが増大してしまう。
【０００７】
そこで、本発明の目的は、製造コストの増大を招くことなく入力操作を容易に行うことができる入力装置及び自覚式検眼装置を提供することにある。
【課題を解決するための手段】
【０００８】
上記課題を解決するために、請求項１に記載の発明は、入力対象を示す画像が表示される表示画面上に該表示画面を覆うように配置された操作パネルの前記画像に対応する位置に互いに異なる複数の操作手段をそれぞれ接触又は近接させる入力操作を行ったときに、該入力操作がいずれの前記操作手段により行われたかを判別し、判別した前記操作手段毎に異なる入力を前記入力対象に対して行うことを特徴とする。
【０００９】
請求項２に記載の発明は、被検眼に視標を呈示するための視標呈示装置と、該視標呈示装置の作動を制御するコントローラとを備え、前記視標呈示装置により呈示された前記視標を見ることにより前記被検眼の視機能を被検者の自覚的な判断に基づいて検査するための自覚式検眼装置であって、前記コントローラは、入力対象を示す画像が表示される表示画面を備え、該表示画面上に該表示画面を覆うように配置された操作パネルの前記画像に対応する位置に互いに異なる複数の操作手段をそれぞれ接触又は近接させる入力操作が行われたときに、該入力操作がいずれの前記操作手段により行われたかを判別し、判別した前記操作手段毎に異なる入力を前記入力対象に対して行うことを特徴とする。
【００１０】
請求項３に記載の発明は、請求項２に記載の発明において、前記表示画面には前記視標提示装置により呈示される前記視標が表示されており、前記入力対象は、前記表示画面に表示された前記視標を部分的に隠すべく該視標に施されるマスクがけであり、前記コントローラは、前記各操作手段により前記入力操作が行われたとき、前記操作手段毎に互いに異なる態様で前記視標に前記マスクがけを施すことを特徴とする。
【００１１】
請求項４に記載の発明は、請求項２に記載の発明において、前記入力対象は前記視標提示装置により呈示されるときに前記表示画面に表示される前記視標の切り替えであり、前記コントローラは、複数の前記操作手段のうち一の該操作手段により前記入力操作が行われたとき、前記表示画面に表示される前記視標を該視標とは異なる種類の前記視標に順次切り替え、前記一の操作手段とは異なる一の前記操作手段により前記入力操作が行われたとき、切り替えられた前記視標を一つ前の前記視標に戻すことを特徴とする。
【００１２】
請求項５に記載の発明は、請求項２に記載の発明において、前記入力対象は数値又は該数値の変更であり、前記コントローラは、複数の前記操作手段のうち一の該操作手段により前記入力操作が行われたときに前記数値を増加させ、前記一の操作手段とは異なる一の前記操作手段により前記入力操作が行われたときに前記数値を減少させることを特徴とする。
【００１３】
請求項６に記載の発明は、請求項２に記載の発明において、前記入力対象は、乱視検査に用いられるクロスシリンダーの回転であり、前記コントローラは、複数の前記操作手段のうち一の該操作手段により前記入力操作が行われたとき、前記クロスシリンダーを一方向に回転させ、前記一の操作手段とは異なる一の前記操作手段により前記入力操作が行われたとき、前記クロスシリンダーを他方向に回転させることを特徴とする。
【発明の効果】
【００１４】
請求項１に記載の発明によれば、互いに異なる複数の操作手段をそれぞれ入力対象の画像に対応する位置で操作パネルに接触又は近接させる入力操作を行ったとき、その入力操作がいずれの操作手段により行われたかを判別し、判別した操作手段毎に異なる入力を入力対象に対して行うことから、操作パネルの一つの入力対象の画像に対応する位置で互いに異なる複数の操作手段により前記入力操作を行うことによって、操作パネルの一つの位置への前記入力操作で互いに異なる複数の機能を実行することができる。
【００１５】
これにより、例えば入力手段の機能の増加に伴って入力対象の数が増加した場合でも、複数の入力対象を示す画像を新たに表示画面に表示する必要はないので、表示画面に表示される画像の個数が増えることにより表示画面に表示する各画像の大きさが小さくなることを、確実に防止することができる。
【００１６】
従って、表示画面に表示される画像の大きさが小さくなることによる操作性の悪化を防止することができるので、従来のような誤操作を確実に防止することができる。
【００１７】
また、入力手段の機能の増加に伴って入力対象の数が増加した場合でも、表示画面に表示される画像の個数を増加する必要はないので、熟練度の低い検者が入力手段を操作する場合でも、各種の機能と該各機能に対応する画像とを一致させるのに従来ほどの時間を掛けることなく入力手段を容易に操作することができる。
【００１８】
更に、コントローラの機能の増加に伴って入力対象の数が増加した場合でも、表示画面に表示される画像の個数を増加する必要はないことから、表示画面の大きさを大きくする必要はないので、表示画面の大きさを大きくすることによる従来のような表示画面の製造コストの増大を確実に防止することができる。
【００１９】
請求項２に記載の発明によれば、自覚式検眼装置の視標呈示装置の作動を制御するコントローラが、互いに異なる複数の操作手段をそれぞれ入力対象の画像に対応する位置で操作パネルに接触又は近接させる入力操作を行ったとき、その入力操作がいずれの操作手段により行われたかを判別し、判別した操作手段毎に異なる入力を入力対象に対して行うことから、操作パネルの一つの入力対象の画像に対応する位置で互いに異なる複数の操作手段により前記入力操作を行うことによって、操作パネルの一つの位置への前記入力操作で互いに異なる複数の機能を実行することができる。これにより、例えばコントローラの機能の増加に伴って入力対象の数が増加した場合でも、複数の入力対象を示す画像を新たに表示画面に表示する必要はないので、表示画面に表示される画像の個数が増えることにより表示画面に表示する各画像の大きさが小さくなることを、確実に防止することができる。
【００２０】
従って、表示画面に表示される画像の大きさが小さくなることによる操作性の悪化を防止することができるので、従来のような誤操作を確実に防止することができる。
【００２１】
また、コントローラの機能の増加に伴って入力対象の数が増加した場合でも、表示画面に表示される画像の個数を増加する必要はないので、熟練度の低い検者がコントローラを操作する場合でも、各種の機能と該各機能に対応する画像とを一致させるのに従来ほどの時間を掛けることなくコントローラを容易に操作することができる。
【００２２】
更に、コントローラの機能の増加に伴って入力対象の数が増加した場合でも、表示画面に表示される画像の個数を増加する必要はないことから、表示画面の大きさを大きくする必要はないので、表示画面の大きさを大きくすることによる従来のような表示画面の製造コストの増大を確実に防止することができる。
【００２３】
請求項３に記載の発明によれば、入力対象が、表示画面に表示された視標を部分的に隠すべく該視標に施されるマスクがけであり、コントローラは、互いに異なる複数の操作手段により前記入力操作が行われたとき、操作手段毎に互いに異なる態様で視標にマスクがけを施すことから、表示画面に表示された例えばマスクがけを示す画像に対応する位置で操作パネルに互いに異なる複数の操作手段によって前記入力操作を行うことにより、同一の位置への前記入力操作で操作手段毎に互いに異なる態様で視標にマスクがけを容易に施すことができる。
【００２４】
これにより、視標へのマスクがけの複数の態様を示す複数の画像を、マスクがけを示す前記画像とは別に表示画面に新たに表示する必要はないので、表示画面に表示される画像の個数の増加により表示画面の画像の大きさが小さくなることを、確実に防止することができる。
【００２５】
請求項４に記載の発明によれば、コントローラは、複数の操作手段のうち一の該操作手段により入力操作が行われたとき、表示画面に表示される視標を該視標とは異なる種類の視標に順次切り替え、前記一の操作手段とは異なる一の操作手段により入力操作が行われたとき、切り替えられた視標を一つ前の視標に戻すことから、例えば表示画面に表示される視標の切り替えを示す画像に対応する位置で操作パネルに互いに異なる操作手段によって前記入力操作を行うことにより、表示画面に表示される視標の切り換えを容易に行うことができる。
【００２６】
これにより、視標を一つ前に戻すことを示す画像を表示画面に視標の切り替えを示す画像とは別に新たに表示する必要はないので、表示画面に表示される画像の個数の増加により表示画面の画像の大きさが小さくなることを、確実に防止することができる。
【００２７】
請求項５に記載の発明によれば、入力対象は数値又は該数値の変更であり、コントローラは、複数の操作手段のうち一の該操作手段により入力操作が行われたときに数値を増加させ、前記一の操作手段とは異なる一の操作手段により入力操作が行われたときに数値を減少させることから、例えば表示画面に表示される数値を示す画像又は数値の変更を示す画像に対応する位置で操作パネルに互いに異なる操作手段によって前記入力操作を行うことにより、表示画面に表示される数値を容易に増減させることができる。
【００２８】
これにより、数値を示す画像又は数値の変更を示す画像とは別に、数値を増加させることを示す画像及び減少させることを示す画像のそれぞれを表示画面に表示する必要はないので、表示画面に表示される画像の個数の増加により表示画面の画像の大きさが小さくなることを、確実に防止することができる。
【００２９】
請求項６に記載の発明によれば、入力対象は、乱視検査に用いられるクロスシリンダーの回転であり、コントローラは、複数の操作手段のうち一の該操作手段により入力操作が行われたとき、クロスシリンダーを一方向に回転させ、前記一の操作手段とは異なる一の操作手段により入力操作が行われたとき、クロスシリンダーを他方向に回転させることから、例えば表示画面に表示されるクロスシリンダーの回転を示す画像に対応する位置で操作パネルに互いに異なる操作手段によって前記入力操作を行うことにより、クロスシリンダーを容易に回転させることができる。
【００３０】
これにより、クロスシリンダーを回転させることを示す画像をクロスシリンダーの回転方向に分けて個別に表示画面に表示する必要はないので、表示画面に表示される画像の個数の増加により表示画面の画像の大きさが小さくなることを、確実に防止することができる。
【発明を実施するための最良の形態】
【００３１】
本発明を図示の実施例に沿って説明する。
【実施例】
【００３２】
図１は、被検眼の視機能を被検者Ｐの自覚的な判断に基づいて検査するための自覚式検眼装置１０のコントローラ１１に、本発明に係る入力装置を適用した例を示す。
【００３３】
本発明に係る自覚式検眼装置１０は、図１に示すように、各種の視標１２を被検者Ｐの被検眼に呈示するための視標呈示装置１３と、被検眼の視機能を矯正するための矯正装置１４とを備える。自覚式検眼装置１０は、従来よく知られているように、図示しない眼鏡を作成する際に該眼鏡のレンズの屈折度数を定めるために用いられている。
【００３４】
視標呈示装置１３は、視標１２が表示される表示窓１６が設けられた呈示装置本体１７を備える。表示窓１６に表示される視標１２は、コントローラ１１の後述する操作により選択される。
【００３５】
視標呈示装置１３の被検者Ｐ側には、検眼テーブル１８が配置されており、該検眼テーブルには、該検眼テーブルからその上方へ伸びる支柱１９が設けられている。支柱１９の上部には横方向に伸びるアーム２０が設けられており、該アームに矯正装置１４が取り付けられている。
【００３６】
矯正装置１４は、左右方向に並べて配置された一対のフォロプタ２１を備える。各フォロプタ２１は、それぞれ検眼窓２２が形成されたハウジング２１ａを備える。各ハウジング２１ａ内には、図示しないが従来と同様に、互いに屈折度数の異なる複数のレンズが周方向に沿って設けられた環状のレンズディスクが回転可能に収納されている。前記各レンズは、前記レンズディスクの回転により各検眼窓２２内に選択的に配置される。
【００３７】
本発明に係るコントローラ１１は、検眼テーブル１８上に載置されており、図２に示すように、ＣＰＵ２３を有する演算制御回路２４と、検者２５（図１参照。）により操作される操作部２６と、該操作部に電気的に接続された表示部２７とを備える。
【００３８】
操作部２６及び表示部２７は、それぞれ演算制御回路２４に接続されている。ＣＰＵ２３は、矯正装置１４及び視標呈示装置１３のそれぞれに設けられた図示しない駆動制御部に接続されており、矯正装置１４及び視標呈示装置１３の作動を制御する。
【００３９】
操作部２６には、図３に示すように、各フォロプタ２１の検眼窓２２内に配置する前記レンズを選択するためのダイヤルスイッチ２８、測定するモードを指定するための指定スイッチ２９等の検査の設定のための各種のスイッチが設けられている。例えばダイヤルスイッチ２８が操作されると、演算制御回路２４の制御下で、選択された前記レンズの屈折力を示す数値が後述する表示画面３０の屈折力表示欄３１に表示される。また、ダイヤルスイッチ２８が操作されると、演算制御回路２４から矯正装置１４の前記駆動制御部に制御信号が送られ、これにより、ダイヤルスイッチ２８の操作により選択された前記レンズが各フォロプタ２１の検眼窓２２内に配置される。
【００４０】
表示部２７は、図２に示すように、操作部２６の操作による設定内容を表示する前記した表示画面３０と、タッチパネル装置３２と、指紋認証装置３３とを備える。
【００４１】
表示画面３０は、図示の例では、液晶パネルで構成されている。表示画面３０には、図４に示すように、操作部２６のダイヤルスイッチ２８の操作により設定された各フォロプタ２１の検眼窓２２内に配置された前記レンズの球面度数、乱視度数及び軸角度等の屈折力の数値が表示される前記した屈折力表示欄３１が設けられている。また、表示画面３０には、屈折力表示欄３１の下方で、屈折力の値の変更を示す画像３４が表示されている。
【００４２】
更に、表示画面３０には、視標呈示装置１３の表示窓１６に表示される視標１２の一覧が表示される一覧表示欄３５と、検査に用いるべく一覧表示欄３５から選択された視標１２が表示される視標表示欄３６とが設けられている。視標表示欄３６に表示された視標１２は、図示の例では、マトリックス状に配置された複数の文字１２ａからなる視標１２で構成されている。また、表示画面３０には、一覧表示欄３５の下方で、視標表示欄３６に表示される視標１２の切り替えを示す画像３７が表示されている。
【００４３】
タッチパネル装置３２は、図２に示すように、タッチパネル３８と、該タッチパネルに操作手段が接触又は近接したことを検知するためのタッチセンサ３９とを有する。
【００４４】
タッチパネル３８は、表示画面３０を覆うように配置されている。また、タッチパネル３８は、本実施例では、図示しないが、複数の導電膜ストライプが互いに平行に形成され且つ両端部に抵抗膜が設けられた透明のフィルムやガラス等の一対のパネル部材を、前記各導電膜ストライプが互いに直交するように貼り合わせることにより形成された、いわゆる抵抗膜式のタッチパネルで構成されている。この抵抗膜式のタッチパネルでは、従来よく知られているように、操作手段である例えば操作者の指によりタッチパネルの表面が押下する入力操作が行われたとき、前記各パネル部材に形成された前記各導電膜ストライプが互いに接触することにより電気的に導通する。このとき、前記各抵抗膜に現れる電圧に基づいて、一方の前記パネル部材の複数の前記導電膜ストライプのうちのいずれの前記導電膜ストライプが他方の前記パネル部材の複数の前記導電膜ストライプのうちのいずれの前記導電膜ストライプに接触したかがタッチセンサにより検出され、これにより、タッチパネルの押下された位置が特定される。
【００４５】
指紋認証装置３３は、図２に示すように、検者２５の各指の指紋のデータをそれぞれ格納するための格納部４０と、タッチパネル３８に接触した検者２５の各指の指紋をそれぞれ読み取るための指紋読取部４１と、該指紋読取部により読み取られた指紋を格納部４０に格納された各指紋データと比較し、タッチパネル３８への操作がいずれの指により行われたかを判断する判断部４２とを有する。
【００４６】
格納部４０は、例えば従来よく知られたハードディスクドライブのような読み書き可能な記憶媒体で構成されている。格納部４０には、図示の例では、検者２５の人差し指、中指及び薬指のそれぞれの指紋のデータが格納されている。
【００４７】
指紋読取部４１は、指の表面からの反射光の強弱に基づいて指の表面の凹凸を読み取る光学センサーやタッチパネル３８への指の接触時に該指からタッチパネル３８に作用する圧力に基づいて指の表面の凹凸を読み取る感圧センサー等のセンサーで構成されている。指紋読取部４１は、読み取った指紋のデータを示す信号を判断部４２に送る。
【００４８】
判断部４２は、指紋読取部４１から送られてくる指紋データと格納部４０に格納された各指紋データとを比較し、比較した結果、指紋読取部４１からの指紋データが格納部４０内の指紋データのうち例えば人差し指の指紋データに一致した場合、タッチパネル３８が人差し指で操作されたと判断し、その結果を演算制御回路２４に送る。
【００４９】
本発明に係るコントローラ１１では、視標呈示装置１３の表示窓１６に表示する視標１２を選択する操作及び視標１２を構成する各文字１２ａのうち被検者に呈示する文字１２ａ以外の文字１２ａを隠す従来よく知られたマスクがけの操作は、それぞれ表示画面３０上で行われる。
【００５０】
視標１２を選択する際、検者２５は、表示画面３０の一覧表示欄３５に表示された入力対象である各種の視標１２のうち表示窓１６に表示すべき視標１２に対応する位置で、操作手段である検者の指によりタッチパネル３８を表示画面３０に向けて押下する前記した入力操作を行う。このとき、タッチセンサ３９によって前記したように検知されたタッチパネル３８への指の押下位置を示す信号がタッチセンサ３９から表示画面３０に送られ、これにより、一覧表示欄３５から選択された視標１２が、図４に示すように、表示画面３０の視標表示欄３６内に表示される。本実施例では、検者２５がいずれの指で前記入力操作を行った場合でも、タッチパネル３８の指で押下した位置に対応する視標１２が選択される。
【００５１】
また、演算制御回路２４は、タッチセンサ３９から送られてくる検知信号に基づいて、一覧表示欄３５から選択された視標を視標呈示装置１３の表示窓１６に表示することを示す制御信号を視標呈示装置１３の前記駆動制御部に送る。これにより、視標呈示装置１３の表示窓１６には一覧表示欄３５から選択された視標１２が表示される。
【００５２】
視標呈示装置１３の表示窓１６に表示する視標１２を切り替える際、すなわち、視標表示欄３６に表示する視標１２を切り替える際、表示画面３０に表示された入力対象である視標１２の切り替えを示す画像３７に対応する位置でタッチパネル３８に前記入力操作を行う。このとき、演算制御回路２４は、タッチセンサ３９から指の押下位置を示す信号を受けると、タッチパネル３８を押下した指の指紋を認証することを示す制御信号を指紋認証装置３３に送る。
【００５３】
本実施例では、指紋認証装置３３の判断部４２による判断の結果、前記入力操作が人差し指で行われたことを示す信号が判断部４２から演算制御回路２４に送られると、演算制御回路２４は、視標表示欄３６に表示された視標１２の右隣で一覧表に表示された視標１２を視標表示欄３６に表示することを示す制御信号を表示画面３０に送る。これにより、表示画面３０の視標表示欄３６には、前記画像３７に対応する位置への前記入力操作前に視標表示欄３６に表示されていた視標１２の右隣で一覧表に表示された視標１２が表示される。
【００５４】
また、演算制御回路２４は、前記入力操作が中指で行われたことを示す信号を判断部４２から受けると、視標表示欄３６に表示された視標１２の左隣で一覧表に表示された視標１２を視標表示欄３６に表示することを示す制御信号を表示画面３０に送る。これにより、表示画面３０の視標表示欄３６には、前記画像３７に対応する位置への前記入力操作前に視標表示欄３６に表示されていた視標１２の左隣で一覧表に表示された視標１２すなわち一つ前に視標表示欄３６に表示されていた視標１２が表示される。
【００５５】
更に、演算制御回路２４は、前記入力操作が薬指で行われたことを示す信号を判断部４２から受けると、図４に示された各視標１２以外の視標１２の一覧を一覧表示欄３５に表示させることを示す制御信号を表示画面３０に送る。これにより、一覧表示欄３５には、図５に示すように、図４に示された各視標１２以外の視標１２の一覧が一覧表示欄３５に表示される。
【００５６】
指紋認証装置３３の判断部４２が、前記入力操作が行われた指が人差し指、中指及び薬指のいずれでもないと判断した場合には、視標１２の切り替え及び一覧表の差し替えは行われない。
【００５７】
また、演算制御回路２４は、判断部４２から送られてくる判断信号に基づいて、切り替え後の視標１２を視標呈示装置１３の表示窓１６に表示する旨の制御信号を視標呈示装置１３の前記駆動制御部に送る。これにより、視標呈示装置１３の表示窓１６には、タッチパネル３８への前記入力操作により切り替えられた視標１２が表示される。
【００５８】
表示画面３０の視標表示欄３６に表示された視標１２の各文字１２ａ（図４参照。）のうち例えば「に」の一文字を被検者Ｐに呈示する場合、図示の例では、視標表示欄３６に表示された「に」の文字１２ａに対応する位置で、人差し指によりタッチパネル３８に前記入力操作を行う。このとき、演算制御回路２４は、タッチセンサ３９から指の押下位置を示す信号を受けると、タッチパネル３８を押下した指の指紋を認証することを示す制御信号を指紋認証装置３３に送る。指紋認証装置３３の判断部４２による判断の結果、前記入力操作が人差し指で行われたことを示す信号が判断部４２から演算制御回路２４に送られると、演算制御回路２４は、視標表示欄３６に表示された「に」の文字１２ａ以外の文字１２ａにマスクがけを施すことを示す制御信号を表示画面３０に送る。これにより、表示画面３０の視標表示欄３６には、「に」の文字１２ａ以外の文字１２ａにマスクがけが施された視標１２が表示される。また、演算制御回路２４は、判断部４２から送られてくる判断信号に基づいて、視標呈示装置１３の前記駆動制御部に「に」の文字１２ａ以外の文字１２ａにマスクがけを施す旨の信号を送る。これにより、視標呈示装置１３の表示窓１６には「に」の文字１２ａのみが表示される。
【００５９】
また、例えば「に」の文字１２ａに対応する位置でタッチパネル３８に前記入力操作を行った指が中指であると判断部４２で判断された場合すなわち中指により入力操作を行った場合、演算制御回路２４は、視標１２の各列のうち「に」を含む列以外の列にマスクがけを施すことを示す制御信号を表示画面３０に送る。これにより、表示画面３０の視標表示欄３６には、「に」の文字１２ａを含む列以外の列にマスクがけが施された視標１２が表示される。また、演算制御回路２４は、判断部４２から送られてくる判断信号に基づいて、「に」を含む列以外の列にマスクがけを施す旨の信号を視標呈示装置１３の前記駆動制御部に送る。これにより、視標呈示装置１３の表示窓１６には「に」を含む列のみが表示される。
【００６０】
更に、例えば「に」の文字１２ａに対応する位置でタッチパネル３８に前記入力操作を行った指が薬指であると判断部４２で判断された場合すなわち薬指により入力操作を行った場合、演算制御回路２４は、視標１２の各行のうち「に」を含む行以外の行にマスクがけを施すことを示す制御信号を表示画面３０に送る。これにより、表示画面３０の視標表示欄３６には、「に」の文字１２ａを含む行以外の列にマスクがけが施された視標１２が表示される。また、演算制御回路２４は、判断部４２から送られてくる判断信号に基づいて、「に」を含む行以外の行にマスクがけを施す旨の信号を視標呈示装置１３の前記駆動制御部に送る。これにより、視標呈示装置１３の表示窓１６には「に」を含む行のみが表示される。
【００６１】
被検者Ｐは、視標呈示装置１３の表示窓１６に表示された視標１２の文字１２ａを各検眼窓１６内に配置された前記各レンズを通して見て、その見え具合を検者２５に応答する。検者２５は、被検者Ｐの応答に基づいて、各検眼窓２２内に配置する前記レンズを操作部２６のダイヤルスイッチ２８の操作により切り替える。これにより、被検眼の視機能が矯正され、作成すべき眼鏡のレンズの屈折度数を定めることができる。
【００６２】
本実施例によれば、前記したように、互いに異なる複数の操作手段すなわち検者２５の各指をそれぞれ入力対象の画像に対応する位置でタッチパネル３８への入力操作を行ったとき、その入力操作がいずれの指により行われたかを判別し、判別した指毎に異なる入力を入力対象に対して行うことから、タッチパネル３８の一つの入力対象の画像に対応する位置に互いに異なる指で前記入力操作を行うことにより、タッチパネル３８の一つの位置への前記入力操作で互いに異なる複数の機能を実行することができる。
【００６３】
これにより、例えばコントローラ１１の機能の増加に伴って入力対象の数が増加した場合でも、複数の入力対象を示す画像を新たに表示画面３０に表示する必要はないので、表示画面３０に表示される画像の個数が増えることにより表示画面３０に表示する各画像の大きさが小さくなることを、確実に防止することができる。
【００６４】
従って、表示画面３０に表示される画像の大きさが小さくなることによる操作性の悪化を防止することができるので、従来のような誤操作を確実に防止することができる。
【００６５】
また、コントローラ１１の機能の増加に伴って入力対象の数が増加した場合でも、表示画面３０に表示される画像の個数を増加する必要はないので、熟練度の低い検者がコントローラを操作する場合でも、各種の機能と該各機能に対応する画像とを一致させるのに従来ほどの時間を掛けることなくコントローラ１１を容易に操作することができる。
【００６６】
更に、コントローラ１１の機能の増加に伴って入力対象の数が増加した場合でも、表示画面３０に表示される画像の個数を増加する必要はないことから、表示画面３０の大きさを大きくする必要はないので、表示画面３０の大きさを大きくすることによる従来のような表示画面３０の製造コストの増大を確実に防止することができる。
【００６７】
また、前記したように、互いに異なる複数の指により前記入力操作が行われたとき、指毎に互いに異なる態様で視標１２にマスクがけを施すことができるので、表示画面３０の視標表示欄３６に表示された視標１２の文字１２ａに対応する位置でタッチパネル３８に互いに異なる複数の指によって前記入力操作を行うことにより、同一の位置への前記入力操作で指毎に互いに異なる態様で視標１２にマスクがけを容易に施すことができる。
【００６８】
これにより、視標１２へのマスクがけの複数の態様を示す複数の画像を、視標表示欄３５とは別に表示画面３０に新たに表示する必要はないので、表示画面３０に表示される画像の個数の増加により表示画面３０の画像の大きさが小さくなることを、確実に防止することができる。
【００６９】
更に、前記したように、人差し指により前記入力操作が行われたとき、表示画面３０に表示される視標１２を該視標とは異なる種類の視標１２に順次切り替え、中指により前記入力操作が行われたとき、切り替えられた視標１２を一つ前の視標１２に戻すことから、例えば表示画面３０に表示される視標１２の切り替えを示す画像３７に対応する位置でタッチパネル３８に互いに異なる指によって前記入力操作を行うことにより、表示画面３０に表示される視標１２の切り換えを容易に行うことができる。
【００７０】
これにより、視標１２を一つ前に戻すことを示す画像を表示画面３０に視標１２の切り替えを示す画像３７とは別に新たに表示する必要はないので、表示画面３０に表示される画像の個数の増加により表示画面３０の画像の大きさが小さくなることを、確実に防止することができる。
【００７１】
本実施例では、各フォロプタ２１の検眼窓１６内に配置される前記レンズの切り換えを操作部２６のダイヤルスイッチ２８の操作により切り換えた例を示したが、これに代えて、又は、これに加えて、前記レンズの切換をタッチパネル３８上で行うことができる。
【００７２】
この場合、例えば右眼用のレンズの球面度数を変更するとき、先ず、表示画面３０の右眼用のレンズの球面度数が表示された図４に示す欄３１ａに対応する位置でタッチパネル３８への前記入力操作を行う。このとき、図６に示すように、前記欄３１ａの色が反転する。これにより、前記欄３１ａへの入力が受け付けられたことを視認することができる。
【００７３】
次に、図４に示す屈折力の値の変更を示す画像３４に対応する位置でタッチパネル３８への前記入力操作を行う。このとき、演算制御回路２４は、タッチセンサ３９から指の押下位置を示す信号を受けると、タッチパネル３８を押下した指の指紋を認証させる制御信号を指紋認証装置３３に送る。本実施例では、指紋認証装置３３の判断部４２による判断の結果、前記入力操作が人差し指で行われたことを示す信号が判断部４２から演算制御回路２４に送られると、該演算制御回路は、屈折力表示欄３１の前記欄３１ａに表示された数値を減少させる旨の制御信号を表示画面３０に送る。これにより、屈折力表示欄３１の前記欄３１ａに表示される数値を減少させることができる。
【００７４】
また、演算制制御回路２４は、判断部４２からの判断信号を受けると、該判断信号に基づいた屈折力を有するレンズを各フォロプタ２１の検眼窓１６内に配置する旨の制御信号を矯正装置１４の前記駆動制御部に送り、これにより、設定された屈折力を有するレンズが各検眼窓１６内に配置される。
【００７５】
他方、指紋認証装置３３の判断部４２による判断の結果、前記入力操作が中指で行われたことを示す信号が判断部４２から演算制御回路２４に送られると、該演算制御回路は、屈折力表示欄３１の前記欄３１ａに表示された数値を増加させる旨の制御信号を表示画面３０に送る。これにより、屈折力表示欄３１の前記欄３１ａに表示される数値を増加させることができ、演算制制御回路２４の制御下で、前記入力操作により設定された屈折力を有するレンズが各検眼窓１６内に配置される。
【００７６】
屈折力表示欄３１に表示された乱視度数及び軸角度等の数値を変更する際、上記したと同様の操作を行うことにより、それらの数値を増減させることができる。
【００７７】
人差し指により入力操作を行うことによって数値を減少させ、中指により入力操作を行うことによって数値を増加させた例を示したが、これに代えて、各指に対応する機能を逆にすることができ、又は、指紋認証装置３３の格納部４０に指紋データが格納された指であれば、人差し指及び中指以外の指を用いて入力操作を行うことができる。
【００７８】
これによれば、複数の操作手段すなわち複数の指のうち一の指により入力操作が行われたときに数値を増加させ、前記一の指とは異なる指により入力操作が行われたときに数値を減少させることから、例えば表示画面３０に表示された数値の変更を示す画像３４に対応する位置でタッチパネル３８に互いに異なる指によって前記入力操作を行うことにより、表示画面３０に表示される数値を容易に増減させることができる。これにより、数値の変更を示す画像３４とは別に、数値を増加させることを示す画像及び減少させることを示す画像のそれぞれを表示画面３０に表示する必要はないので、表示画面３０に表示される画像の個数の増加により表示画面３０の画像の大きさが小さくなることを、確実に防止することができる。
【００７９】
また、本実施例において、表示画面３０に表示された屈折力の変更を示す画像３４を不要とすることができる。
【００８０】
この場合、図４に示す屈折力表示欄３１の前記レンズの球面度数、乱視度数及び軸角度を示す数値に対応する位置でタッチパネル３８を指により押下する。このとき、例えば人差し指で前記入力操作を行ったときに各数値を減少させることができ、また、例えば中指で前記入力操作を行ったときに各数値を増加させることができる。
【００８１】
更に、本実施例において、入力対象を、乱視検査に用いられる図示しないが従来よく知られたクロスシリンダーの回転にすることができる。この場合、コントローラ１１は、例えば人差し指により前記入力操作が行われたとき、前記クロスシリンダーを一方向に回転させ、例えば中指により前記入力操作が行われたとき、前記クロスシリンダーを他方向に回転させることができる。
【００８２】
また、本実施例では、表示画面３０の視標表示欄３６に表示される視標１２の切り替え方向が右方向である例を示したが、これに代えて、視標１２の切り替え方向を左方向又は上下方向にすることができる。
【００８３】
更に、本実施例において、各指により前記入力操作が行われたとき、各指に対応する機能は限定されず、各指に前記した機能とは別の機能を担わせることができる。
【００８４】
また、本実施例において、複数の検者２５の各指の指紋データを指紋認証装置３３の格納部４０に予め格納しておくことができる。これにより、例えば検者２５が検査の途中で他の検者２５に交代する必要がある場合でも、検査の引継ぎ時に前記他の検者２５が指の指紋データを格納部４０に格納する手間を掛けることなく、従って、被検者Ｐを待たせることなく、検査を引き続き即座に開始することができる。
【００８５】
更に、本実施例では、格納部４０に、検者２５の人差し指、中指及び薬指のそれぞれの指紋のデータが格納された例を示したが、これに代えて、又は、これに加えて、人差し指、中指及び薬指以外の指の指紋データを格納部４０に格納することができる。また、人差し指、中指及び薬指の指紋データに加えて、人差し指、中指及び薬指以外の指の指紋データを格納部４０に格納することができる。これにより、表示画面３０に入力対象を示す画像を増やすことなくコントローラ１１の機能をより容易に増やすことができる。
【００８６】
また、本実施例では、複数の操作手段が検者２５の各指である例を示したが、これに代えて、例えばタッチパネル専用のペンのように検者２５の各指以外の操作手段を本発明に用いることができる。
【００８７】
更に、本実施例では、タッチパネル３８が抵抗膜式のタッチパネルで構成された例を示したが、これに代えて、従来よく知られた電磁誘導方式、磁歪遅延方式、超音波方式及び光走査方式等の抵抗膜式以外のタッチパネルを本発明に用いることができる。
【００８８】
また、本実施例では、表示部２７が指紋認証装置３３を備える例を示したが、これに代えて、複数の操作手段により前記入力操作が行われたときに該入力操作がいずれの操作手段により行われたかを判別することができる機能を有する装置であれば、指紋認証装置３３以外の装置を本発明に適用することができる。
【００８９】
更に、本実施例では、本発明に係る入力装置を自覚式検眼装置１０のコントローラ１１に用いた例を示したが、これに代えて、自覚式検眼装置１０のコントローラ１１以外の操作手段に本発明を適用することができる。
【図面の簡単な説明】
【００９０】
【図１】本発明に係る自覚式検眼装置を概略的に示す斜視図である。
【図２】本発明に係る自覚式検眼装置を概略的に示すブロック図である。
【図３】本発明に係るコントローラの操作部を概略的に示す平面図である。
【図４】本発明に係る表示部の表示画面を概略的に示す正面図である。
【図５】本発明に係る表示画面の一覧表示欄に表示された視標の一覧表が切り替わった状態を概略的に示す正面図である。
【図６】本発明に係る表示画面の屈折力表示欄の球面度数の数値が表示された欄の色が反転した状態を概略的に示す正面図である。
【符号の説明】
【００９１】
１０  自覚式検眼装置
１１  コントローラ（入力手段）
１２  入力対象（視標）
１３  視標呈示装置
３０  表示画面
３８  操作パネル（タッチパネル）
【図１】
2007236639.tif 000003
【図２】
2007236639.tif 000004
【図３】
2007236639.tif 000005
【図４】
2007236639.tif 000006
【図５】
2007236639.tif 000007
【図６】
2007236639.tif 000008